(57)【要約】      （修正有）【課題】ワールドタイム機能とクロノグラフ機能とを備えた電子時計を提供する。【解決手段】電子時計１０は、文字板１１と、外部信号を受信し現地時刻を表示するワールドタイム機能と、時間を積算して表示するクロノグラフ機能と、を備え、文字板１１には、現地時刻が表示される時刻表示部と、前記時間の積算値が表示される積算表示部と、が設けられている。【選択図】図５
2015169498.tif 000002
【特許請求の範囲】
【請求項１】
文字板と、
外部信号から現在地の位置情報と現地時刻とを算出し現地時刻を表示するワールドタイ
ム機能と、
時間を積算して表示するクロノグラフ機能と、を備え、
前記文字板には、前記現地時刻が表示される時刻表示部と、
前記時間の積算値が表示される積算表示部と、が設けられていることを特徴とする電子
時計。
【請求項２】
前記外部信号は衛星信号であることを特徴とする請求項１に記載の電子時計。
【請求項３】
電力を蓄積する二次電池を備えていることを特徴とする請求項１または２に記載の電子
時計。
【請求項４】
前記積算表示部は、前記ワールドタイム機能に関するサマータイム表示、前記二次電池
の充電量表示、前記衛星信号の受信禁止表示、前記衛星信号の受信モード表示、前記衛星
信号の受信結果表示、前記衛星信号を受信可能な衛星の数を表す衛星捕捉数表示、前記現
地時刻の時刻秒表示、前記現地時刻の時刻分表示、前記現地時刻の時刻時表示、曜日表示
およびカレンダー表示の少なくとも一つを表示すること特徴とする請求項３に記載の電子
時計。
【請求項５】
前記文字板には、前記積算表示部を含む小時計が設けられていることを特徴とする請求
項１から４のいずれか一項に記載の電子時計。
【請求項６】
前記小時計は、前記積算表示部と、前記サマータイム表示、前記充電量表示、前記受信
禁止表示、前記受信モード表示、前記受信結果表示、前記衛星捕捉数表示、前記時刻秒表
示、前記時刻分表示、前記時刻時表示、前記曜日表示およびカレンダー表示の少なくとも
一つを表示することを特徴とする請求項５に記載の電子時計。
【請求項７】
前記小時計は、前記文字板の３時位置と９時位置とを結ぶ直線に、重なる位置に備えら
れていることを特徴とする請求項５または６に記載の電子時計。
【請求項８】
前記小時計は、前記文字板の１２時位置と６時位置とを結ぶ直線に、重なる位置に備え
られていることを特徴とする請求項５から７のいずれか一項に記載の電子時計。
【請求項９】
サマータイム設定機能を備えていることを特徴とする請求項４から８のいずれか一項に
記載の電子時計。
【請求項１０】
カレンダー表示部には、西暦の月および日を表す情報が表示されることを特徴とする請
求項４から９のいずれか一項に記載の電子時計。
【発明の詳細な説明】
【技術分野】
【０００１】
本発明は、電子時計に関する。
【背景技術】
【０００２】
従来、衛星信号を受信して現在地の現地時刻を表示するワールドタイム機能を備えた電
子時計が知られていた。例えば、特許文献１には、地図が表示された文字板と、複数の指
針とを備え、現在地と現地時刻とを表示する腕時計が開示されている。また、非特許文献
１には、文字板の外周部に、協定世界時（ＵＴＣ：Coordinated Universal Time）との時
差を表示し、現地時刻と、現地時刻とＵＴＣとの時差と、を表示する腕時計が開示されて
いる。これらの腕時計は、ＧＰＳ（Global Positioning System：全地球測位システム）
などの航法衛星から衛星信号を受信する受信部を備え、４個の航法衛星からの信号を受信
して現在地の位置情報と時刻情報とを求めて、現地時刻の表示をしている。
【先行技術文献】
【特許文献】
【０００３】
【特許文献１】特開２００９−１７５０４４号公報
【非特許文献】
【０００４】
【非特許文献１】「グッズプレス  ＪＵＬＹ  ２０１３」株式会社徳間書店、平成２５年７月１０日、７５−８１頁
【発明の概要】
【発明が解決しようとする課題】
【０００５】
しかしながら、特許文献１および非特許文献１に記載のワールドタイム機能を備えた電
子時計には、時間を積算して表示するクロノグラフ機能（ストップウォッチ機能）が備え
られて無かった。このため、時差のある国や地域を跨る競技の時刻計測には、ワールドタ
イム機能を備えた電子時計とストップウォッチとの２種類の計測器を使用する必要があっ
た。
【課題を解決するための手段】
【０００６】
本発明は、上述の課題の少なくとも一部を解決するためになされたものであり、以下の
形態または適用例として実現することが可能である。
【０００７】
［適用例１］本適用例に係る電子時計は、文字板と、外部信号から現在地の位置情報と
時刻情報とを算出し現地時刻を表示するワールドタイム機能と、時間を積算して表示する
クロノグラフ機能と、を備え、前記文字板には、前記現地時刻が表示される時刻表示部と
、前記時間の積算値が表示される積算表示部と、が設けられていることを特徴とする。
【０００８】
本適用例によれば、電子時計は、外部信号を受信して、現在地の位置情報と時刻情報を
算出し現地時刻を表示するワールドタイム機能と、時間の積算値を表示するクロノグラフ
機能とを備えている。例えば、時差のある国や地域を跨り所要時間を競う競技などでは、
競技の開始地点と終了地点との正確な現地時刻と、所要時間との記録を求められることが
ある。このような場合でも、本適用例の電子時計であれば、ワールドタイム機能で現地時
刻が表示され、クロノグラフ機能で所要時間が表示されるので、複数の計測器を用いるこ
となく両方の計時を行うことができる。したがって、一つの計測器で現地時刻と所要時間
とを求めることが可能なワールドタイム機能およびクロノグラフ機能を備えた電子時計を
提供することができる。
【０００９】
［適用例２］上記適用例に記載の電子時計において、前記外部信号は衛星信号であるこ
とが好ましい。
【００１０】
本適用例によれば、電子時計は、外部信号として航法衛星などから送信されている衛星
信号を受信する機能を備えている。これにより、世界中で正確な位置情報と時刻情報とを
得ることが可能なワールドタイム機能およびクロノグラフ機能を備えた電子時計を提供す
ることができる。
【００１１】
［適用例３］上記適用例に記載の電子時計は、電力を蓄積する二次電池を備えているこ
とが好ましい。
【００１２】
本適用例によれば、電子時計は、電子時計を駆動するための電力を蓄積する二次電池を
備えている。電子時計の内部または外部から二次電池に電力を充電することで、ワールド
タイム機能およびクロノグラフ機能を備えた電子時計を連続して駆動することができる。
【００１３】
［適用例４］上記適用例に記載の電子時計において、前記積算表示部は、前記ワールド
タイム機能に関するサマータイム表示、前記二次電池の充電量表示、前記衛星信号の受信
禁止表示、前記衛星信号の受信モード表示、前記衛星信号の受信結果表示、前記衛星信号
を受信可能な航法衛星の数を表す衛星捕捉数表示、前記現地時刻の時刻秒表示、前記現地
時刻の時刻分表示、前記現地時刻の時刻時表示、曜日表示およびカレンダー表示の少なく
とも一つを表示することが好ましい。
【００１４】
本適用例によれば、クロノグラフ機能で積算された時間の「時」、「分」および「秒」
のいずれかが表示される積算表示部は、二次電池に蓄積されている電力の残量が表示され
る充電量表示、衛星信号の受信禁止表示、直前に受信した衛星信号の受信モードが表示さ
れる受信モード表示、衛星信号を受信させた時の受信結果が表示される受信結果表示、衛
星信号を受信することが可能な航法衛星の数が表示される衛星捕捉数表示、現地時刻の時
刻秒表示、現地時刻の時刻分表示、現地時刻の時刻時表示、現在の曜日が表示される曜日
表示、および現在の日付が表示されるカレンダー表示の少なくとも一つを表示する。これ
により、ワールドタイム機能およびクロノグラフ機能に関する複数の表示を限られたスペ
ースに視認性よく配置することができるため、ワールドタイム機能およびクロノグラフ機
能を備えた電子時計を提供することができる。
【００１５】
［適用例５］上記適用例に記載の電子時計において、前記文字板には、前記積算表示部
を含む小時計が設けられていることが好ましい。
【００１６】
本適用例によれば、電子時計には、クロノグラフ機能で積算された時間の「時」、「分
」および「秒」のいずれかが表示される積算表示部を備えている小時計が文字板に設けら
れている。これにより、他の表示と混在させることなく、積算表示部を視認性よく配置す
ることができるため、ワールドタイム機能およびクロノグラフ機能を備えた電子時計を提
供することができる。
【００１７】
［適用例６］上記適用例に記載の電子時計において、前記小時計は、前記積算表示部と
、前記サマータイム表示、前記充電量表示、前記受信禁止表示、前記受信モード表示、前
記受信結果表示、前記衛星捕捉数表示、前記時刻秒表示、前記時刻分表示、前記時刻時表
示、前記曜日表示およびカレンダー表示の少なくとも一つを表示することが好ましい。
【００１８】
本適用例によれば、電子時計の文字板に設けられている小時計は、クロノグラフ機能で
積算された時間の「時」、「分」および「秒」のいずれかが表示される積算表示部と、サ
マータイムのＯＮ／ＯＦＦが表示されるサマータイム表示、二次電池に蓄積されている電
力の残量が表示される充電量表示、衛星信号の受信禁止表示、直前に受信した衛星信号の
受信モードが表示される受信モード表示、衛星信号を受信させた時の受信結果が表示され
る受信結果表示、衛星信号を受信することが可能な航法衛星の数が表示される衛星捕捉数
表示、現地時刻の時刻秒表示、現地時刻の時刻分表示、現地時刻の時刻時表示、現在の曜
日が表示される曜日表示および現在の日付が表示されるカレンダー表示の少なくとも一つ
と、を備えている。これにより、ワールドタイム機能およびクロノグラフ機能に関する複
数の表示を限られたスペースに美観と視認性とを両立させて配置することができるため、
ワールドタイム機能およびクロノグラフ機能を備えた電子時計を提供することができる。
【００１９】
［適用例７］上記適用例に記載の電子時計において、前記小時計は、前記文字板の３時
位置と９時位置とを結ぶ直線に、重なる位置に備えられていることが好ましい。
【００２０】
本適用例によれば、電子時計は、文字板の外周に設けられている目盛の一周を１２時間
で表した場合の３時位置と９時位置とを結ぶ直線に重なる位置に、小時計を配置する。こ
れにより、デザイン的にバランスの取れた位置に小時計を配置することができるため、ワ
ールドタイム機能およびクロノグラフ機能を備え、デザイン性を向上させた電子時計を提
供することができる。
【００２１】
［適用例８］上記適用例に記載の電子時計において、前記小時計は、前記文字板の１２
時位置と６時位置とを結ぶ直線に、重なる位置に備えられていることが好ましい。
【００２２】
本適用例によれば、電子時計は、文字板の外周に設けられている目盛の一周を１２時間
で表した場合の１２時位置と６時位置とを結ぶ直線に重なる位置に、小時計を配置する。
これにより、デザイン的にバランスの取れた位置に小時計を配置することができるため、
ワールドタイム機能およびクロノグラフ機能を備え、デザイン性を向上させた電子時計を
提供することができる。
【００２３】
［適用例９］上記適用例に記載の電子時計は、サマータイム設定機能を備えていること
が好ましい。
【００２４】
本適用例によれば、電子時計は、サマータイム表示を用いてサマータイムを設定する機
能を備えている。これにより、サマータイムを実施している国や地域の現地時刻を正確に
表記することができる。したがって、サマータイムの時差を含めた現地時刻を表示するワ
ールドタイム機能およびクロノグラフ機能を備えた電子時計を提供することができる。
【００２５】
［適用例１０］上記適用例に記載の電子時計において、カレンダー表示部には、月およ
び日を表す情報が表示されることが好ましい。
【００２６】
本適用例によれば、電子時計は、西暦の「月」および「日」を含む情報が表示されるカ
レンダー表示部を備えている。これにより、日付と現地時刻とを容易に認識し、記録する
ことができる。また、この記録から、記載されている現地時刻がサマータイムによる時差
を含むかを知ることができる。したがって、西暦の「月」および「日」を含む情報が表示
されるカレンダー表示、ワールドタイム機能およびクロノグラフ機能を備えた電子時計を
提供することができる。
【図面の簡単な説明】
【００２７】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の外観を示す概略平面図。
【図６】電子時計の電気制御ブロック図。
【図７】電子時計の動作を示すフローチャート図。
【図８】変形例に係る電子時計の外観を示す概略平面図。
【発明を実施するための形態】
【００２８】
以下、本発明の実施形態について、図面を参照して説明する。なお、以下の各図におい
ては、各層や各部材を認識可能な程度の大きさにするため、各層や各部材の尺度を実際と
は異ならせている。
【００２９】
（実施形態）
本実施形態の電子時計は、ワールドタイム機能と、クロノグラフ機能と、を備えている
。ワールドタイム機能とは、例えば、ＧＰＳなどの航法衛星（ＧＰＳ衛星）から送信され
ている外部信号を受信して現在地の位置情報と時刻情報とを算出して現地時刻を表示する
ものである。クロノグラフ機能とは、時間を積算表示する所謂ストップウォッチ（ストッ
プウオッチ）機能を備えているものである。
図１は、実施形態に係る電子時計を含むＧＰＳの全体図である。まず、電子時計が、Ｇ
ＰＳ衛星から送信される衛星信号（外部信号）を用いて、現在地の位置情報と、時刻情報
とを求めるＧＰＳの概要を説明する。
【００３０】
電子時計１０は、ＧＰＳ衛星８からの電波（衛星信号）を受信して内部時刻を修正する
腕時計であり、腕と接触する側の面（以下、裏面という）の反対側の面（以下、表面とい
う）に時刻を表示する。ＧＰＳ衛星８は、地球の上空において、所定の軌道上を周回する
航法衛星であり、１．５７５４２ＧＨｚの電波（Ｌ１波）に航法メッセージを重畳させて
地上に送信している。以降の説明では、航法メッセージが重畳された１．５７５４２ＧＨ
ｚの電波を衛星信号という。衛星信号は、右旋偏波の円偏波である。
【００３１】
現在、地球の上空には約３１個のＧＰＳ衛星８（図１においては、４個のみを図示）が
周回しており、衛星信号がどのＧＰＳ衛星８から送信されたかを識別するために、各ＧＰ
Ｓ衛星８はＣ／Ａコード（Coarse／Acquisition Code）と呼ばれる１０２３チップ（１ｍ
ｓ周期）の固有のパターンを衛星信号に重畳する。Ｃ／Ａコードは、各チップが＋１、ま
たは−１のいずれかであり、ランダムパターンのように見える。したがって、衛星信号と
各Ｃ／Ａコードのパターンの相関をとることにより、衛星信号に重畳されているＣ／Ａコ
ードを検出することができる。
【００３２】
ＧＰＳ衛星８は原子時計を搭載しており、衛星信号には原子時計で計時された極めて正
確なＧＰＳ時刻情報が含まれている。また、地上のコントロールセグメントにより各ＧＰ
Ｓ衛星８に搭載されている原子時計のわずかな時刻誤差が測定されており、衛星信号には
その時刻誤差を補正するための時刻補正パラメーターも含まれている。電子時計１０は、
一つのＧＰＳ衛星８から送信された衛星信号を受信し、その中に含まれるＧＰＳ時刻情報
と時刻補正パラメーターとを使用して得られた正確な時刻（時刻情報）を内部時刻とする
。
【００３３】
衛星信号にはＧＰＳ衛星８の軌道上の位置を示す軌道情報も含まれている。電子時計１
０は、ＧＰＳ時刻情報と軌道情報とを使用して測位計算を行うことができる。測位計算は
、電子時計１０の内部時刻にある程度の誤差が含まれていることを前提として行われる。
すなわち、電子時計１０の三次元の位置を特定するためのｘ，ｙ，ｚパラメーターに加
えて時刻誤差も未知数になる。そのため、電子時計１０は、一般的には４つ以上のＧＰＳ
衛星８からそれぞれ送信された衛星信号を受信し、その中に含まれるＧＰＳ時刻情報と軌
道情報を使用して測位計算を行い、現在地の位置情報を求める。
【００３４】
次に、電子時計１０の概略構成について説明する。図２は、電子時計の外観を示す斜視
図であり、図３は、電子時計の外観を示す６面図である。図４は、電子時計の概略を示す
部分断面図である。
なお、図３（ａ）は電子時計を表面側から見た平面図である。図３（ｂ）は３時方向か
ら９時方向を見た側面図である。図３（ｃ）は１２時方向から６時方向を見た側面図であ
る。図３（ｄ）は９時方向から３時方向を見た側面図である。図３（ｅ）は６時方向から
１２時方向を見た側面図である。図３（ｆ）は裏面側からみた平面図である。
【００３５】
図２および図３に示すように、電子時計１０は、外装ケース３０と、カバーガラス３３
と、裏蓋３４とを備えている。外装ケース３０は、金属で形成された円筒状のケース３１
に、セラミックで形成されたベゼル３２が嵌合されて構成されている。このベゼル３２の
内周側に、プラスチックで形成されたリング状のダイヤルリング４０を介して、円盤状の
文字板１１が設けられ、文字板１１には指針２１，２２，２３が備えられている。
【００３６】
文字板１１には、指針７１を備えた第１小時計７０と、指針８１を備えた第２小時計８
０と、指針９１を備えた第３小時計９０およびカレンダー表示部１５が設けられている。
電子時計１０は、文字板１１の外周に設けられている目盛の一周を１２時間で表した場
合に、ダイヤルリング４０に表記された「ＵＴＣ」の英字を１２時位置として、第１小時
計７０は文字板１１の中心より２時方向に、文字板１１の３時位置と９時位置とを結ぶ直
線に重なる位置に設けられている。
第２小時計８０は文字板１１の中心より１０時方向に、文字板１１の３時位置と９時位
置とを結ぶ直線に重なる位置に設けられている。第３小時計９０は文字板１１の中心より
６時方向に、文字板１１の１２時位置と６時位置とを結ぶ直線に重なる位置に設けられて
いる。カレンダー表示部１５は中心より４時方向に設けられている。
文字板１１、指針２１，２２，２３、第１小時計７０、第２小時計８０、第３小時計９
０およびカレンダー表示部１５などは、カバーガラス３３を透して、視認可能となってい
る。
【００３７】
なお、各々の小時計（第１小時計７０、第２小時計８０、第３小時計９０）が設けられ
ている位置は、一例であり、これに限定するものではない。各々の小時計（第１小時計７
０、第２小時計８０、第３小時計９０）は、文字板１１の中心と３時位置とを結ぶ直線、
文字板１１の中心と６時位置とを結ぶ直線、文字板１１の中心と９時位置とを結ぶ直線お
よび文字板１１の中心と１２時位置とを結ぶ直線のいずれかの直線と重なる位置に設ける
ことができる。
【００３８】
外装ケース３０の側面には、文字板１１の中心より、８時方向の位置にＡボタン６１と
、１０時方向の位置にＢボタン６２と、２時方向の位置にＣボタン６３と、４時方向の位
置にＤボタン６４と、３時方向の位置にリュウズ５０とが、設けられている。これらのＡ
ボタン６１、Ｂボタン６２、Ｃボタン６３、Ｄボタン６４およびリュウズ５０が操作され
ることにより、操作に応じた入力信号が出力される。
【００３９】
図４に示すように、電子時計１０は、金属製の外装ケース３０の表裏に設けられた二つ
の開口のうち、文字板１１が装着された表面側の開口は、ベゼル３２を介してカバーガラ
ス３３で塞がれており、裏面側の開口は金属で形成された裏蓋３４で塞がれている。
外装ケース３０の内側には、ベゼル３２の内周に取り付けられているダイヤルリング４
０と、光透過性の文字板１１と、文字板１１を貫通した指針軸２５と、指針軸２５を中心
に周回する指針２１，２２，２３と、指針２１，２２，２３を駆動する駆動機構１４０な
どとが備えられている。
指針軸２５は、外装ケース３０の平面視中心を通り、表裏方向に延在する中心軸に沿っ
て設けられている。
【００４０】
ダイヤルリング４０は、外周端が、ベゼル３２の内周面に接触しているとともに、一面
がカバーガラス３３と並行している平板部分と、内周端が文字板１１に接触するように、
文字板１１側へ傾斜した傾斜部分を備えている。ダイヤルリング４０は、平面視において
はリング形状となっており、断面視においてはすり鉢形状となっている。ダイヤルリング
４０の平板部分と、傾斜部分と、ベゼル３２の内周面と、によりドーナツ形状の収納空間
が形成されており、この収納空間内には、リング状のアンテナ体１１０が収納されている
。
【００４１】
このアンテナ体１１０は、リング形状の誘電体を基材として、これに金属のアンテナパ
ターンをメッキや銀ペースト印刷などにより形成したものである。このアンテナ体１１０
は、文字板１１の外周に配置されており、ベゼル３２の内周面側に配置され、さらにプラ
スチックで形成されたダイヤルリング４０、およびカバーガラス３３で覆われているため
、良好な受信を確保することが可能となっている。誘電体としては、酸化チタンなどの高
周波で使える誘電材料を樹脂に混ぜて成形することができ、これにより誘電体の波長短縮
と相俟ってアンテナをより小型化できる。
【００４２】
文字板１１は、外装ケース３０の内側で時刻を表示する円形の板材であり、プラスチッ
クなどの光透過性の材料で形成され、カバーガラス３３との間に指針２１，２２，２３な
どを備え、ダイヤルリング４０の内側に配置されている。
【００４３】
文字板１１と、駆動機構１４０などが取り付けられている地板１２５との間には、光発
電を行うソーラーパネル１３５が備えられている。ソーラーパネル１３５は、光エネルギ
ーを電気エネルギー（電力）に変換する複数のソーラーセル（光発電素子）を直列接続し
た円形の平板である。また、ソーラーパネル１３５は、太陽光の検出機能も備えている。
文字板１１、ソーラーパネル１３５および地板１２５には、指針軸２５と、第１小時計７
０の指針７１、第２小時計８０の指針８１および第３小時計９０の指針９１の指針軸（図
示せず）とが貫通する穴が形成されているとともに、カレンダー表示部１５の開口部が形
成されている。
【００４４】
駆動機構１４０は、地板１２５に取り付けられ、回路基板１２０で裏面側から覆われて
いる。駆動機構１４０は、ステップモーターと歯車などの輪列とを有し、当該ステップモ
ーターが当該輪列を介して指針軸２５を回転させることにより、指針２１，２２，２３が
駆動する。また、図２、図３に示す第１小時計７０の指針７１、第２小時計８０の指針８
１および第３小時計９０の指針９１も同様の駆動機構（図示せず）を有し、各指針７１，
８１，９１が駆動する。
【００４５】
回路基板１２０は、バラン１２１、受信部（ＧＰＳモジュール）１２２、制御部１５０
およびリチウムイオン電池などの二次電池１３０を備えている。二次電池１３０は、ソー
ラーパネル１３５が発電した電力で充電され、その電力を蓄積する。これにより、電子時
計１０を連続して駆動させることができる。また、この回路基板１２０とアンテナ体１１
０とは、アンテナ接続ピン１１５を用い接続されている。バラン１２１は、平衡−不平衡
の変換素子であり、平衡給電で作動するアンテナ体１１０からの平衡信号を、受信部１２
２で扱うことができる不平衡信号に変換する。
【００４６】
アンテナ体１１０は、給電点を通じて給電され、この給電点には、アンテナ体１１０の
裏面側に配置されたアンテナ接続ピン１１５が接続されている。アンテナ接続ピン１１５
は金属で形成されたピン状のコネクターであり、回路基板１２０に突設されている。そし
て、アンテナ接続ピン１１５は地板１２５に開口された挿通孔を貫通されて収納空間内へ
挿通されている。これにより、回路基板１２０と、収納空間内部のアンテナ体１１０とが
、アンテナ接続ピン１１５で接続されている。
【００４７】
なお、本実施形態では、電子時計１０はソーラーパネル１３５による発電と二次電池１
３０とを駆動源とするものと説明したが、一次電池方式や、他の充電方式を用いてもよい
。一次電池方式を駆動源とすることで外装ケース３０内の機構を簡単にすることが可能と
なる。また、電磁誘導などの充電方式で蓄電する二次電池を駆動源とすることで光発電を
行うには十分な光照射がない場所や電池交換が難しい場所においても、本発明の電子時計
を利用することができる。
【００４８】
次に、電子時計１０の表示機能について説明する。図５は、電子時計の外観を示す概略
平面図である。
本実施形態の電子時計１０は、文字板１１に、ワールドタイム機能で求められた現地時
刻（内部時刻）を表示する時刻表示部と、クロノグラフ機能で積算された時間が表示され
る積算表示部とを備えている。
時刻表示部とは、「時」を表す時刻時表示と、「分」を表す時刻分表示と、「秒」を表
す時刻秒表示との総称である。
積算表示部とは、「時」を表す積算時表示と、「分」を表す積算分表示と、「秒」を表
す積算秒表示との総称である。
【００４９】
まず、文字板１１の表示機能について説明する。図５に示すように、文字板１１は、外
周を６０分割にする目盛（分目盛）が表記された時刻分表示、および外周を１２分割にす
る目盛（時目盛）が表記された時刻時表示を備えている。指針２２は、時刻分表示を用い
てワールドタイム機能で求められた現地時刻（内部時刻）の「分」を指し示す。また、指
針２３は、時刻時表示を用いてワールドタイム機能で求められた現地時刻（内部時刻）の
「時」を指し示す。
文字板１１の最外周は、６０分割の目盛をさらに５分割にする１／５目盛が表記された
積算秒表示を備えている。指針２１は、積算秒表示を用いてクロノグラフ機能で積算され
た時間の「秒」を指し示す。
【００５０】
次に、第１小時計７０の表示機能について説明する。第１小時計７０は、第１小時計７
０の外周を６０分割にする目盛と、１０から６０までの１０刻みの数字とが表記された積
算分表示７２を備えている。指針７１は、積算分表示７２を用いてクロノグラフ機能で積
算された時間の「分」を指し示す。
【００５１】
次に、第２小時計８０の表示機能について説明する。第２小時計８０の外周には、ワー
ルドタイム機能に関する時刻秒表示８４と、衛星信号の受信結果表示８３と、衛星信号を
受信可能な衛星の数を表す衛星捕捉数表示８２と、が表示されるように設けられている。
【００５２】
時刻秒表示８４は、第２小時計８０の外周に設けられている。時刻秒表示８４には、外
周を６０分割にする目盛が表記されている。指針８１は、時刻秒表示８４を用いて現地時
刻（内部時刻）の「秒」を指し示す。
【００５３】
衛星捕捉数表示８２は、第２小時計８０の外周に設けられている。衛星捕捉数表示８２
には、外周を１２分割にする目盛と、「０」から「１１」までの数字とが表記されている
。使用者がＢボタン６２を操作して、電子時計１０に衛星信号を手動受信させた時、指針
８１は、衛星信号を受信可能なＧＰＳ衛星８の数を表す衛星捕捉数を「０」から「１１」
までのいずれかの数字を指し示す。これにより、衛星捕捉数が表示される。
【００５４】
受信結果表示８３は、第２小時計８０の時刻秒表示８４において、４５秒から６０秒ま
での範囲に英字の「Ｙ」表記８３ａと、３０秒から４５秒までの範囲に英字の「Ｎ」表記
８３ｂとが表記されている。「Ｙ」表記８３ａと、「Ｎ」表記８３ｂとは、１５秒と４５
秒とを結ぶ直線に対して線対称、かつ第２小時計８０の外周を１２分割にする目盛（長い
目盛）と重ならない位置に設けられている。これにより、第２小時計８０の外周を１２分
割にする目盛と、６０分割する目盛と、受信結果表示８３とを面積の狭い第２小時計８０
の中に、判読性を確保しながらバランスよくレイアウトすることができる。「Ｙ」表記８
３ａと、「Ｎ」表記８３ｂとの英字は、衛星信号の受信結果（Ｙ：受信成功、Ｎ：受信失
敗）と、衛星信号の自動受信（Ｙ：自動受信ＯＮ、Ｎ：自動受信ＯＦＦ）の設定とを表す
。
【００５５】
使用者がＢボタン６２を操作することにより、指針８１が「Ｙ」表記８３ａまたは「Ｎ
」表記８３ｂのいずれか一方を指し示し、衛星信号の受信結果を表示する。また、使用者
がＡボタン６１とＢボタン６２とを操作して、指針８１を「Ｙ」表記８３ａまたは「Ｎ」
表記８３ｂに合わせることで、衛星信号の自動受信のＯＮ／ＯＦＦを設定することができ
る。
なお、本実施形態では、５２秒の位置に「Ｙ」表記８３ａが、３８秒の位置に「Ｎ」表
記８３ｂが、設けられているが、これに限定されるものではない。「Ｙ」表記８３ａと「
Ｎ」表記８３ｂとの表記は、受信結果表示８３を含む小時計が設けられる位置に応じて、
視認しやすい位置に設けることが好ましい。
【００５６】
次に、第３小時計９０の表示機能について説明する。第３小時計９０の外周には、クロ
ノグラフ機能に関する積算表示部（積算時表示９２）と、ワールドタイム機能に関するサ
マータイム表示９３と、充電量表示９４と、衛星信号の受信禁止表示９５と、衛星信号の
受信モード表示９６と、が表示されるように設けられている。
以下の外周の範囲の説明において、「ｎ時方向」（ｎは任意の自然数）とあるが、これ
は第３小時計９０に表示されている「０」を１２時として外周を１２時間で表した時に、
円形の中央から外周をみた方向である。また、「ｎ時方向からｍ時方向までの範囲」（ｎ
、ｍは任意の自然数）とあるが、これは第３小時計９０の中心を右回りで表した範囲であ
る。
【００５７】
積算時表示９２は、第３小時計９０の外周において、１２時方向から６時方向までの範
囲に設けられている。積算時表示９２には、この範囲を６分割にする目盛と、「０」から
「５」までの数字とが表記されている。指針９１は、積算時表示９２を用いて、クロノグ
ラフ機能で積算された時間の「時」を指し示す。
【００５８】
サマータイム表示９３は、第３小時計９０の外周において、６時方向から７時方向まで
の範囲に設けられている。サマータイム表示９３には、「ＤＳＴ」の英字と「○」の記号
とが表記されている。ＤＳＴ（daylight saving time）は夏時間を意味しており、これら
の英字と記号とは、夏時間（ＤＳＴ：夏時間ＯＮ、○：夏時間ＯＦＦ）の設定を表す。使
用者がリュウズ５０とＢボタン６２を操作して、指針９１を「ＤＳＴ」または「○」に合
わせることで、電子時計１０に夏時間のＯＮ／ＯＦＦを設定させることができる。
【００５９】
充電量表示９４は、第３小時計９０の外周において、７時方向から９時方向までの範囲
に設けられている。充電量表示９４には、外周の円周に沿って、９時方向の基端が太く、
７時方向の先端が細い三日月鎌状の記号で、二次電池１３０（図４参照）のパワーインジ
ケーターが表記されている。指針９１は、電池の残量に応じて、基端、中間、先端のいず
れかを指し示す。
また、充電量表示９４は、受信許可表示を兼用している。使用者はＡボタン６１を操作
し、指針９１が示す先を、後述する受信禁止表示９５から充電量表示９４に移動させるこ
とで、電子時計１０に衛星信号を受信させることができる。なお、本実施形態では、受信
許可表示は充電量表示９４と兼用されるものとして説明したが、受信許可表示と充電量表
示９４とが各々に設けられていてもよい。
【００６０】
受信禁止表示９５は、第３小時計９０の外周において、９時方向から１０時方向までの
範囲に設けられている。受信禁止表示９５には、飛行機形状の記号が表記されており、衛
星信号の受信禁止設定を表す。航空機の離着陸時は、航空法によって衛星信号の受信が禁
止されていることより、この設定を機内モードとも呼ぶ。使用者はＡボタン６１を操作し
、指針９１が示す先を移動させて受信禁止表示９５（機内モード）を選択することで、電
子時計１０に衛星信号の受信を停止させることができる。
【００６１】
受信モード表示９６は、第３小時計９０の外周において、１０時方向から１２時方向ま
での範囲に設けられている。受信モード表示９６には、「１」および「４＋」の数字と、
記号とが表記されており、これらの数字と記号は、衛星信号の受信モードを表す。「１」
はＧＰＳ時刻情報を受信し内部時刻が修正されたことを、「４＋」はＧＰＳ時刻情報と軌
道情報とを受信し、内部時刻と後述するタイムゾーンとが修正されたことを意味する。使
用者がＢボタン６２を操作することで、指針９１は、「１」または「４＋」のいずれかを
指し示し、電子時計１０が直前に受信した衛星信号の受信モードを表す。
【００６２】
次にカレンダー表示部１５の表示機能について説明する。
カレンダー表示部１５は、文字板１１を矩形状に開口した開口部に設けられており、開
口部から数字が視認可能となっている。この数字は、年月日の「日」を表す。
【００６３】
上述した電子時計１０では、第３小時計９０は、積算表示部（積算時表示９２）と、サ
マータイム表示９３と、充電量表示９４と、受信禁止表示９５と、受信モード表示９６と
、を表示するものと説明したが、これにかえて、積算表示部（積算時表示９２、積算分表
示７２、積算秒表示のいずれか一つ）と、サマータイム表示９３、充電量表示９４、受信
禁止表示９５、受信モード表示９６、受信結果表示８３、衛星捕捉数表示８２、時刻秒表
示８４、時刻分表示、時刻時表示、曜日表示およびカレンダー表示の少なくとも一つを表
示する第３小時計９０であってもよい。
また、積算表示部（積算時表示９２、積算分表示７２、積算秒表示のいずれか一つ）と
、サマータイム表示９３、充電量表示９４、受信禁止表示９５、受信モード表示９６、受
信結果表示８３、衛星捕捉数表示８２、時刻秒表示８４、時刻分表示、時刻時表示、曜日
表示およびカレンダー表示の少なくとも一つを表示する文字板１１であってもよい。
【００６４】
ここで、協定世界時（ＵＴＣ）と、時差と、標準時と、タイムゾーン（Time zone）と
の関係を説明する。
タイムゾーンとは、共通の標準時を使用する地域のことであり、現在、４０種類のタイ
ムゾーンが存在している。各タイムゾーンは、標準時とＵＴＣとの時差で区別され、例え
ば、日本は、ＵＴＣより９時間進んだ標準時を使用する、＋９時間（時差）のタイムゾー
ンに属している。各タイムゾーンで使用されている標準時は、ＵＴＣと、ＵＴＣとの時差
とで求めることができる。
【００６５】
次に、ダイヤルリング４０とベゼル３２とに設けられているタイムゾーン表示４６につ
いて説明する。タイムゾーン表示４６とは、ダイヤルリング４０に表記されている時差表
示４５と、ベゼル３２に表記されている都市表示３５と、の総称である。
表面側からの平面視において、ダイヤルリング４０には、時差の基準となる協定世界時
を示す「ＵＴＣ」の英字と、タイムゾーンで使用されている標準時とＵＴＣとの時差を表
す数値または記号とを表記した時差表示４５が設けられている。
指針２２，２３，８１で指し示された現地時刻と、ＵＴＣとの時差は、リュウズ５０の
操作により指針２１の指し示す時差表示４５で確認することができる。なお、本実施形態
では、世界協定時は「ＵＴＣ」の英字で表し、整数以外の時差を表す表示は「・」記号で
表記しているが、他の英字、または記号を用いて表現してもよい。
【００６６】
ベゼル３２には、ダイヤルリング４０に表記されている時差に対応したタイムゾーンの
代表都市名を表すコードを表記した都市表示３５が設けられている。本実施形態では、代
表都市名に三文字の英字で略したスリーレターコードが使用されている。「ＬＯＮ」はロ
ンドン、「ＰＡＲ」はパリ、「ＣＡＩ」はカイロ、「ＪＥＤ」はジッダ、「ＤＸＢ」はド
バイ、「ＫＨＩ」はカラチ、「ＤＥＬ」はデリー、「ＤＡＣ」はダッカ、「ＢＫＫ」はバ
ンコク、「ＢＪＳ」は北京、「ＴＹＯ」は東京、「ＡＤＬ」はアデレード、「ＳＹＤ」は
シドニー、「ＮＯＵ」ネーメア、「ＷＬＧ」はウェリントン、「ＴＢＵ」はヌクアロファ
、「ＣＸＩ」はキリスィマスィ島、「ＭＤＹ」はミッドウェー島、「ＨＮＬ」はホノルル
、「ＡＮＣ」はアンカレッジ、「ＬＡＸ」はロサンゼルス、「ＤＥＮ」はデンバー、「Ｃ
ＨＩ」はシカゴ、「ＮＹＣ」はニューヨーク、「ＣＣＳ」はカラカス、「ＳＣＬ」はサン
ティアゴ、「ＲＩＯ」はリオデジャネイロ、「ＦＥＮ」はフェルナンド・デ・ノローニャ
諸島、「ＰＤＬ」はアゾレス諸島をそれぞれ表している。例えば、「ＴＹＯ」のコードは
東京を表し、このコードに対応してダイヤルリング４０に併記されている時差表示４５の
数字「９」より、東京はＵＴＣ＋９時間の標準時を使用していることを容易に判断するこ
とができる。
なお、本実施形態では、表示スペースの制約と視認性の向上との為、一部の時差表示４
５の時差に対応する代表都市名の表記は省略されている。また、代表都市名の表記方法は
一例であり、他の方法で表記してもよい。
【００６７】
指針２２，２３，８１で表示された現地時刻（内部時刻）のタイムゾーンは、リュウズ
５０の操作により指針２１の指し示すタイムゾーン表示４６で確認することができる。例
えば、「ＴＹＯ」と「９」とのタイムゾーン表示４６より、現在、使用者は東京を代表都
市とする＋９時間のタイムゾーンに居ることがわかる。
【００６８】
次に、電子時計１０の電気的構成について説明する。
図６は、電子時計の電気制御ブロック図である。図６に示すように、電子時計１０は、
ＣＰＵ（中央処理装置）１５３、ＲＡＭ（Random Access Memory）１５４、ＲＯＭ（Read
Only Memory）１５５を基本構成とする制御部１５０と、受信部（ＧＰＳモジュール）１
２２、入力装置１５７、駆動機構１４０の周辺装置とを備えている。これらの各装置は、
データバス１５９を介してデータを送受信する。入力装置１５７は、図５に示すリュウズ
５０、Ａボタン６１、Ｂボタン６２、Ｃボタン６３、Ｄボタン６４である。なお、電子時
計１０は、電源となる充電可能な二次電池１３０（図４参照）を内蔵している。
【００６９】
受信部１２２は、アンテナ体１１０を備え、アンテナ体１１０を介して受信した衛星信
号を処理してＧＰＳ時刻情報や位置情報を取得する。アンテナ体１１０は、地球の上空を
所定の軌道で周回している複数のＧＰＳ衛星８（図１参照）から送信され、図４に示すカ
バーガラス３３とダイヤルリング４０とを通過した衛星信号の電波を受信する。
【００７０】
そして、受信部１２２は、図示を略すが、通常のＧＰＳ装置と同様に、ＧＰＳ衛星８（
図１参照）から送信される衛星信号を受信してデジタル信号に変換するＲＦ（Radio Freq
uency）部と、受信した衛星信号の相関判定を実行して航法メッセージを復調するＢＢ部
（ベースバンド部）と、ＢＢ部で復調された航法メッセージからＧＰＳ時刻情報や軌道情
報を取得して出力する情報取得部とを備えている。つまり、受信部１２２は、ＧＰＳ衛星
８から送信される衛星信号を受信し、受信結果に基づいてＧＰＳ時刻情報と軌道情報とを
出力する受信部として機能する。
【００７１】
ＲＦ部は、バンドパスフィルター、ＰＬＬ回路、ＩＦフィルター、ＶＣＯ（Voltage Co
ntrolled Oscillator）、ＡＤＣ（Ａ／Ｄ変換器）、ミキサー、ＬＮＡ（Low Noise Ampli
fier）、ＩＦアンプ等を備えている。バンドパスフィルターで抜き出された衛星信号は、
ＬＮＡで増幅された後、ミキサーでＶＣＯの信号とミキシングされ、ＩＦ（Intermediate
Frequency：中間周波数）にダウンコンバートされる。ミキサーでミキシングされたＩＦ
は、ＩＦアンプ、ＩＦフィルターを通り、ＡＤＣでデジタル信号に変換される。
【００７２】
ＢＢ部は、ＧＰＳ衛星８で送信時に使用されたものと同一のＣ／Ａコードからなるロー
カルコードを生成するローカルコード生成部と、ローカルコードとＲＦ部から出力される
受信信号との相関値を算出する相関部とを備える。そして、相関部で算出された相関値が
所定の閾値以上であれば、受信した衛星信号に用いられたＣ／Ａコードと、生成したロー
カルコードとが一致していることになり、衛星信号を捕捉（同期）することができる。こ
のため、受信した衛星信号を、ローカルコードを用いて相関処理することで、航法メッセ
ージを復調することができる。
【００７３】
情報取得部は、ＢＢ部で復調した航法メッセージからＧＰＳ時刻情報や軌道情報を取得
する。航法メッセージには、プリアンブルデータ及びＨＯＷワードのＴＯＷ（Time of We
ek、「Ｚカウント」ともいう）、サブフレームデータが含まれている。サブフレームデー
タは、サブフレーム１からサブフレーム５まであり、各サブフレームには、例えば、週番
号データや衛星健康状態データを含む衛星補正データ等や、エフェメリス（ＧＰＳ衛星８
毎の詳細な軌道情報）や、アルマナック（全ＧＰＳ衛星８の概略軌道情報）などのデータ
が含まれている。したがって、情報取得部は、受信した航法メッセージから所定のデータ
部分を抽出することにより、ＧＰＳ時刻情報や軌道情報を取得することができる。
【００７４】
ＲＡＭ１５４とＲＯＭ１５５とは、電子時計１０の記憶部である。
ＲＯＭ１５５には、ＣＰＵ１５３に実行されるプログラムやタイムゾーン情報などが記
憶される。タイムゾーン情報とは、共通の標準時を使用する地域（タイムゾーン）の位置
情報（緯度・経度）と、ＵＴＣに対する時差と、を管理するデータである。
ＣＰＵ１５３は、ＲＡＭ１５４を作業領域として使用し、ＲＯＭ１５５に記憶されたプ
ログラムを実行することにより、各種の演算、制御および計時を行う。この計時は、例え
ば、図示しない発振回路からの基準信号のパルス数を計数することによって行われる。
【００７５】
ＣＰＵ１５３は、ＧＰＳ時刻情報と時刻補正パラメーターとから算出した時刻情報と、
ＧＰＳ時刻情報と軌道情報とから算出した現在地の位置情報（緯度、経度）と、ＲＯＭ１
５５（記憶部）に記憶されたタイムゾーン情報と、に基づいて内部時刻を修正する。ＣＰ
Ｕ１５３は、内部時刻が示されるように、駆動機構１４０の駆動制御を行う。これにより
、電子時計１０には、指針２２，２３，８１（図５参照）で指し示される時刻表示により
内部時刻が示される。
【００７６】
また、ＣＰＵ１５３は、入力装置１５７の入力信号を検知して時間の積算を行い、積算
時間が示されるように、駆動機構１４０の駆動制御を行う。これにより、電子時計１０に
は、指針２１，７１，９１（図５参照）により積算時間が示される。
【００７７】
次に、電子時計１０の動作について説明する。図７は、電子時計１０のサマータイム設
定の流れを示すフローチャートである。
電子時計１０の動作について図６と図７とを用いて説明する。
【００７８】
まず、ステップＳ１では、ＣＰＵ１５３がリュウズ５０の操作を検知し、駆動機構１４
０を駆動することにより、指針９１（図５参照）が現在設定されているサマータイムのＯ
Ｎ／ＯＦＦに対応したサマータイム表示９３（図５参照）を指し示す。具体的には、サマ
ータイムがＯＮに設定されていた場合には、指針９１はサマータイム表示９３の「ＤＳＴ
」記号を指し示し、サマータイムがＯＦＦに設定されていた場合には、指針９１はサマー
タイム表示９３の「○」記号を指し示す。
【００７９】
ステップＳ２では、ＣＰＵ１５３は、サマータイム設定の修正操作がされたか否かを判
断する。修正操作がされた場合（Ｓ２：Ｙｅｓ）にはステップＳ３へ進む。修正操作がさ
れなかった場合（Ｓ２：Ｎｏ）にはステップＳ６へ進む。
【００８０】
ステップＳ３では、ＣＰＵ１５３は、Ｂボタン６２の操作を検知し、駆動機構１４０を
駆動することにより、指針９１がサマータイム表示９３（図５参照）内の英字と記号との
間を移動し、正しいサマータイム条件が選択される。具体的には、サマータイムをＯＦＦ
からＯＮに設定する場合には、サマータイム表示９３の「○」の記号を指していた指針９
１が、「ＤＳＴ」の英字に移動しサマータイム：ＯＮを選択する。サマータイムをＯＮか
らＯＦＦに設定する場合には、サマータイム表示９３の「ＤＳＴ」の英字を指していた指
針９１が、「○」の記号に移動しサマータイム：ＯＦＦを選択する。
【００８１】
ステップＳ４では、ＣＰＵ１５３は、ステップＳ３の選択に応じたサマータイムの設定
をＲＡＭ１５４に記憶させる。具体的には、サマータイム表示９３の「ＤＳＴ」が選択さ
れている場合には、ＣＰＵ１５３は、サマータイム：ＯＮの設定をＲＡＭ１５４に記憶さ
せる。サマータイム表示９３の「○」が選択されている場合には、ＣＰＵ１５３は、サマ
ータイム：ＯＦＦの設定をＲＡＭ１５４に記憶させる。
【００８２】
ステップＳ５では、ＣＰＵ１５３は、手動設定されたタイムゾーンによって内部時刻の
修正を行う。
【００８３】
ステップＳ６では、ＣＰＵ１５３は、リュウズ５０の操作を検知し、駆動機構１４０を
駆動して現地時刻（内部時刻）を表示する。
【００８４】
なお、本実施形態で説明した入力装置１５７（Ａボタン６１、Ｂボタン６２、Ｃボタン
６３、Ｄボタン６４、リュウズ５０）の操作は一例であり、説明と異なる入力装置を用い
て操作させてもよい。
【００８５】
また、本実施形態では、外部信号としてＧＰＳ衛星８から送信される電波を用いるもの
として説明したが、これに限定するのもではない。例えば、外部信号としては、ガリレオ
（Galileo）、ＧＬＯＮＡＳＳ（Global Navigation Satellite System）などの全地球航
法衛星システム（ＧＮＳＳ：Global Navigation Satellite System）を使用することがで
きる。
【００８６】
以上述べたように、本実施形態に係る電子時計１０によれば、以下の効果を得ることが
できる。
電子時計１０には、クロノグラフ機能に関する積算値の「時」を表示する積算時表示９
２（積算表示部）が、ワールドタイム機能に関するサマータイム表示９３、充電量表示９
４、衛星信号の受信禁止表示９５および受信モード表示９６と共に設けられている。これ
により、電子時計１０は、多くの情報を限られたスペースに視認性よく設けることが可能
となり、ワールドタイム機能とクロノグラフ機能とを備えることができる。さらに、これ
らの表示が小時計に設けられているため、デザインの美観と表示の視認性とを両立させる
ことができる。時差のある国や地域を跨り所要時間を競う競技などでは、競技の開始地点
と終了地点との正確な現地時刻と、所要時間との記録を求められることがある。このよう
な場合でも、本実施形態の電子時計１０であれば、ワールドタイム機能で現地時刻が表示
され、クロノグラフ機能で所要時間が表示されるので、複数の計測器を用いることなく両
方の計時を行うことができる。したがって、一つの計測器で現地時刻と所要時間とを求め
ることが可能なワールドタイム機能およびクロノグラフ機能を備えた電子時計１０を提供
することができる。
【００８７】
なお、本発明は上述した実施形態に限定されず、上述した実施形態に種々の変更や改良
などを加えることが可能である。変形例を以下に述べる。
【００８８】
（変形例）
図８は、変形例に係る電子時計の外観を示す概略平面図である。
上述した実施形態では、電子時計１０（図５参照）はカレンダー表示部１５を有し、カ
レンダー表示部１５は西暦の「日」を表すものとして説明したが、この構成に限定するも
のではない。
以下、変形例に係る電子時計２００について説明する。なお、実施形態と同一の構成部
位については、同一の符号を附し、重複する説明は省略する。
【００８９】
電子時計２００は、外装ケース３０と、カバーガラス３３と、裏蓋３４とを備えている
。外装ケース３０は、金属で形成された円筒状のケース３１に、セラミックで形成された
ベゼル３２が嵌合されて構成されている。このベゼル３２の内周側に、プラスチックで形
成されたリング状のダイヤルリング４０を介して、円盤状の文字板１２が設けられ、文字
板１２には、指針２１，２２，２３が備えられている。
文字板１２には、指針７１を備えた第１小時計７０と、指針８１を備えた第２小時計８
０と、指針９１を備えた第３小時計９０およびカレンダー表示部１６が設けられている。
【００９０】
カレンダー表示部１６は、文字板１２の中心から４時方向に設けられている。カレンダ
ー表示部１６は、文字板１２を矩形状に開口した開口部に設けられており、開口部から英
数字が視認可能となっている。この英数字は、西暦の「月」と「日」とを表す。図８に表
示されている「Ｎｏｖ」と「６」とは、１１月６日を表している。なお、電子時計２００
は、西暦の「年」の表示を備えることが好ましい。また、本発明は、種々の方式を問わな
いが、クォーツ時計であれば、正確な時刻を長時間表示することが可能であり、アナログ
時計であれば、多くの情報を同時に確認し易く、ファッション性にも優れている。
【００９１】
以上述べたように、本変形例に係る電子時計２００によれば、実施形態での効果に加え
て、以下の効果を得ることができる。
電子時計２００は、西暦の「月」および「日」を含む情報が表示されるカレンダー表示
部１６を備えている。これにより、電子時計２００に表示された日付と現地時刻とを容易
に記録することができる。また、サマータイムの実施期間は、国や地域により独自に定め
られるので、この記録から、記載されている現地時間がサマータイムによる時差を含んで
いるかを知ることができる。
【符号の説明】
【００９２】
８…ＧＰＳ衛星、１０…電子時計、１１，１２…文字板、１５，１６…カレンダー表示
部、２１，２２，２３…指針、２５…指針軸、３０…外装ケース、３１…ケース、３２…
ベゼル、３３…カバーガラス、３４…裏蓋、３５…都市表示、４０…ダイヤルリング、４
５…時差表示、４６…タイムゾーン表示、５０…リュウズ、６１…Ａボタン、６２…Ｂボ
タン、６３…Ｃボタン、６４…Ｄボタン、７０…第１小時計、７１…指針、７２…積算分
表示、８０…第２小時計、８１…指針、８２…衛星捕捉数表示、８３…受信結果表示、８
４…時刻秒表示、９０…第３小時計、９１…指針、９２…積算時表示、９３…サマータイ
ム表示、９４…充電量表示、９５…受信禁止表示、９６…受信モード表示、１１０…アン
テナ体、１２０…回路基板、１２２…受信部、１２５…地板、１３０…二次電池、１３５
…ソーラーパネル、１４０…駆動機構、１５０…制御部、１５３…ＣＰＵ、１５４…ＲＡ
Ｍ、１５５…ＲＯＭ、１５７…入力装置、１５９…データバス、２００…電子時計。
【図１】
2015169498.tif 000003
【図２】
2015169498.tif 000004
【図３】
2015169498.tif 000005
【図４】
2015169498.tif 000006
【図５】
2015169498.tif 000007
【図６】
2015169498.tif 000008
【図７】
2015169498.tif 000009
【図８】
2015169498.tif 000010